(57)【要約】【課題】携帯性及び安全性に優れ、且つ繊維状の部材を容易に切断することができる。【解決手段】鍵形ツール１０は、貫通孔１２を有する頭部１１と、頭部１１から延設されたブレード部１３とを有するとともに全体として鍵形をなし、金属板により一体に形成されている。ブレード部１３の先端には、凹刃１６が形成されている。【選択図】図１
2018043329.tif 000002
【特許請求の範囲】
【請求項１】
貫通孔を有する頭部と、前記頭部から延設されたブレード部とを有するとともに全体として鍵形をなし、金属板により一体に形成された鍵形ツールであって、
前記ブレード部の先端には、凹刃が形成されている、
鍵形ツール。
【請求項２】
前記凹刃が両刃である、
請求項１に記載の鍵形ツール。
【請求項３】
前記ブレード部の先端には、幅方向において前記凹刃を挟む第１端部及び第２端部が形成されており、
前記第１端部が前記第２端部よりも先端側に向けて突出しており、
前記第１端部の厚さが先端側ほど薄くされている、
請求項１または請求項２に記載の鍵形ツール。
【発明の詳細な説明】
【技術分野】
【０００１】
本発明は、貫通孔を有する頭部と、頭部から延設されたブレード部とを有するとともに全体として鍵形をなし、金属板により一体に形成された鍵形ツールに関する。
【背景技術】
【０００２】
従来、ナイフや鋏、ドライバー、栓抜きなどの複数のツールが握り部に収納可能に設けられた多機能ナイフがある（例えば特許文献１参照）。使用者は、釣り糸や凧糸などの繊維状の部材を切断する際には、握り部に収納されているナイフや鋏を握り部の外部に露出するまで回動させる。また、ナイフや鋏を使用しない場合には、ナイフや鋏を回動させて握り部に収納する。これにより、非使用時に刃が露出することを回避できる。
【先行技術文献】
【特許文献】
【０００３】
【特許文献１】登録実用新案第３０３０４３３号公報
【発明の概要】
【発明が解決しようとする課題】
【０００４】
ところで、特許文献１に記載の多機能ナイフも含めて従来の多機能ナイフは、ナイフや鋏を握り部に収納することができるため、非使用時の安全性において優れている。しかしながら、ナイフや鋏などの厚さと握り部の厚さとが相まって全体の厚さが増し、携帯性が損なわれるという不都合がある。
【０００５】
本発明の目的は、携帯性及び安全性に優れ、且つ繊維状の部材を容易に切断することのできる鍵形ツールを提供することにある。
【課題を解決するための手段】
【０００６】
上記目的を達成するための鍵形ツールは、貫通孔を有する頭部と、前記頭部から延設されたブレード部とを有するとともに全体として鍵形をなし、金属板により一体に形成されている。前記ブレード部の先端には、凹刃が形成されている。
【０００７】
同構成によれば、使用者は頭部を把持してブレード部の先端に形成された凹刃を糸やタグピンなどの繊維状の部材に押し当てる、あるいは繊維状の部材を凹刃に押し当てることにより、繊維状の部材を容易に切断することができる。
【０００８】
ここで、凹刃はブレード部の先端の中央部に形成されるものであることから、鍵形ツールの体格を本物の鍵と同等に設定すれば、凹刃の幅は自ずと使用者の手指が入り込まない大きさとなる。このため、使用者の手指が凹刃の刃縁に接触することを適切に抑制できる。しかも、頭部の貫通孔にキーリングを挿通することができるため、例えば他の本物の鍵と共にキーリングに挿通した状態で携帯する際に鍵形ツールが邪魔になりにくい。
【０００９】
したがって、携帯性及び安全性に優れるとともに繊維状の部材を容易に切断することができる。
上記鍵形ツールにおいて、前記凹刃が両刃であることが好ましい。
【００１０】
同構成によれば、凹刃が両刃であるため、刃縁がブレード部の表面と裏面との間に位置すこととなる。したがって、ブレード部の表面及び裏面の双方から刃縁までの距離を確保することができ、刃縁に手指が接触することを一層抑制することができる。
【００１１】
上記鍵形ツールにおいて、前記ブレード部の先端には、幅方向において前記凹刃を挟む第１端部及び第２端部が形成されており、前記第１端部が前記第２端部よりも先端側に向けて突出しており、前記第１端部の厚さが先端側ほど薄くされている。
【００１２】
同構成によれば、第１端部の厚さが先端側ほど薄くされているため、第１端部を、ねじの頭部に形成された一文字や十文字の溝に係合させることができる。このため、鍵形ツールをマイナスドライバーとして使用することができる。このとき、第１端部が第２端部よりも先端側に向けて突出しているため、換言すれば、第２端部が第１端部よりも奥まっていることから、第２端部が邪魔になりにくい。したがって、マイナスドライバーとしての操作性を高めることができる。
【発明の効果】
【００１３】
本発明によれば、携帯性及び安全性に優れ、且つ繊維状の部材を容易に切断することができる。
【図面の簡単な説明】
【００１４】
【図１】鍵形ツールの一実施形態について、鍵形ツール全体を示す斜視図。
【図２】同実施形態の鍵形ツール全体を示す平面図。
【図３】図２の３−３線に沿った断面構造を示す断面図。
【図４】（ａ）〜（ｄ）は、同実施形態の鍵形ツールの使用例を示す図。
【図５】（ａ）〜（ｄ）は、同実施形態の鍵形ツールの使用例を示す図。
【発明を実施するための形態】
【００１５】
以下、図１〜図５を参照して、鍵形ツールを具体化した一実施形態について説明する。
図１及び図２に示すように、鍵形ツール１０は、貫通孔１２を有する頭部１１と、頭部１１から直線状に延設されたブレード部１３とを有するとともに全体として鍵形をなしている。本実施形態の鍵形ツール１０は、２．５ｍｍの厚さのステンレス鋼板をプレス加工することにより一体に形成されている。
【００１６】
図３に示すように、ブレード部１３の表側及び裏側には、互いに平行な表側平面部１４と裏側平面部１５が形成されている。本実施形態では、ブレード部１３の裏側全体が裏側平面部１５により構成されている。
【００１７】
図１及び図２に示すように、ブレード部１３の先端における幅方向の一端及び他端（図２の上端及び下端）には、第１端部２０及び第２端部２２がそれぞれ形成されている。
ブレード部１３の先端における第１端部２０と第２端部２２との間には、平面視円弧状の刃縁１７を有する１つの凹刃１６が形成されている。本実施形態では、凹刃１６の幅Ｗ、すなわち第１端部２０と第２端部２２との間の距離が、使用者の手指が第１端部２０と第２端部２２との間に入り込まないように４ｍｍに設定されている。
【００１８】
図１及び図３に示すように、凹刃１６は両刃である。
すなわち、図３に示すように、ブレード部１３の表側には、表側平面部１４に対して先端側に連なって形成され、凹刃１６の刃縁１７に近接するほど、ブレード部１３の裏側（同図の下側）に近接するように傾斜した表側傾斜面１８が形成されている。
【００１９】
ブレード部１３の裏側には、裏側平面部１５に対して先端側に連なって形成され、凹刃１６の刃縁１７に近接するほど、ブレード部１３の表側（同図の上側）に近接するように傾斜した裏側傾斜面１９が形成されている。
【００２０】
図１及び図２に示すように、第１端部２０は、第２端部２２よりも先端側に向けて突出している。また、第１端部２０の表面には、先端側ほどブレード部１３の裏側に近接するように傾斜した先端傾斜面２１が形成されている。したがって、第１端部２０の厚さは、先端側ほど薄くされている。第１端部２０及び第２端部２２の先端は面取りされている。
【００２１】
ブレード部１３の表側には、表側平面部１４に対して幅方向の他端側（図２の下側）に連なって形成され、同他端に近接するほど、ブレード部１３の裏側に近接するように傾斜した側部傾斜面２３が形成されている。
【００２２】
ブレード部１３における幅方向の他端側の縁には、波刃２４が形成されている。波刃２４の複数の突端は面取りされている。
頭部１１における幅方向の他端側には、周知の形状の栓抜き部２５が凹設されている。
【００２３】
頭部１１には、平面視において互いに大きさの異なる３つの六角形状の孔２７〜２９が重なり合った形状の六角ねじ回し孔２６が形成されている。なお、孔２７〜２９は、小さい方向から順に、同孔２７〜２９の六角二面幅が４ｍｍ，５．５ｍｍ，７ｍｍであるＭ２，Ｍ３，Ｍ４の六角ボルト（六角ナット）にそれぞれ対応している。
【００２４】
本実施形態では、素材であるステンレス鋼板をプレス加工した後に、バレル処理を行うことにより鍵形ツール１０のバリが除去されるとともに端部の面取りがなされる。そして、バレル処理の後に、熱処理（焼き入れ及び焼き戻し）が行われる。そして、表面処理の後に、凹刃１６の刃付け処理が行われる。
【００２５】
次に、図４及び図５を参照して、本実施形態の鍵形ツール１０の使用例について説明する。
図４（ａ）に示すように、衣類などに取り付けられたナイロン製のタグピン３０の軸部３１にブレード部１３の凹刃１６を押し当てることにより、軸部３１を切断することができる。
【００２６】
図４（ｂ）に示すように、靴下にタグ５０を取り付けている糸５１を切断することができる。この場合、靴下とタグ５０との間にブレード部１３の先端部を挿入し、糸５１に凹刃１６を押し当てることにより、糸５１を切断することができる。前述したように、本実施形態の鍵形ツール１０ではブレード部１３の角部が面取りされているため、ブレード部１３が靴下の繊維に引っかかりにくく、靴下が傷つくことを適切に回避できる。
【００２７】
図４（ｃ）に示すように、釣り糸や凧糸などの糸４０を凹刃１６に押し当てることにより、糸４０を切断することができる。
図４（ｄ）に示すように、ブレード部１３の第１端部２０を、ねじ６０の頭部６１の十文字（または一文字）の溝６２に係合させてブレード部１３を回転させることで、ねじ６０を締めたり、緩めたりすることができる。
【００２８】
図５（ａ）に示すように、缶７０の頂面７１とプルタブ７２との間にブレード部１３の第１端部２０を挿入し、缶７０の頂面７１の外周縁に形成された環状の突起部７３を支点として頭部１１を押し下げる。これにより、てこの原理によってプルタブ７２を起こして缶７０を開口させることができる。
【００２９】
図５（ｂ）に示すように、段ボール箱８０の外フラップ８１と内フラップ８２との間の隙間にブレード部１３を挿入し、ブレード部１３を幅方向にスライドさせつつ押し引きすることにより、波刃２４によって、外フラップ８１及び幅面８３に貼り付けられたテープ８４を切断することができる。
【００３０】
図５（ｃ）に示すように、栓抜き部２５により、瓶７５の封をしている王冠７６を取り外すことができる。
図５（ｄ）に示すように、ボルト９０に螺合された六角ナット９１に対して六角ねじ回し孔２６を外嵌し、ブレード部１３を把持してボルト９０を中心に回動させることにより、六角ナット９１を締めたり、緩めたりすることができる。
【００３１】
次に、本実施形態の作用について説明する。
図４（ａ）〜図４（ｃ）に示すように、使用者は、頭部１１を把持してブレード部１３の先端に形成された凹刃１６をタグピン３０の軸部３１や糸４０などの繊維状の部材に押し当てる、あるいは繊維状の部材を凹刃１６に押し当てることにより、繊維状の部材を容易に切断することができる。
【００３２】
ここで、凹刃１６はブレード部１３の先端の中央部に形成されており、鍵形ツール１０の体格が本物の鍵と同等に設定されている。また、凹刃１６の幅Ｗが４ｍｍに設定されており、使用者の手指が入り込まない大きさとされている。しかも、凹刃１６が両刃であるため、刃縁１７がブレード部１３の表側平面部１４と裏側平面部１５との間に位置すこととなる。したがって、ブレード部１３の表側平面部１４及び裏側平面部１５の双方から刃縁１７までの距離を確保することができる。このため、使用者の手指が刃縁１７に接触することを適切に回避することができる。
【００３３】
また、頭部１１の貫通孔１２にキーリングを挿通することができるため、例えば他の本物の鍵と共にキーリングに挿通した状態で携帯する際に鍵形ツール１０が邪魔になりにくい。
【００３４】
また、第１端部２０の厚さが先端側ほど薄くされているため、第１端部２０を、ねじ６０の頭部６１に形成された一文字や十文字の溝６２に係合させることができる。このため、鍵形ツール１０をマイナスドライバーとして使用することができる。このとき、第１端部２０が第２端部２２よりも先端側に向けて突出しているため、換言すれば、第２端部２２が第１端部２０よりも奥まっていることから、第２端部２２が邪魔になりにくい。
【００３５】
以上説明した本実施形態に係る鍵形ツールによれば、以下に示す効果が得られるようになる。
（１）鍵形ツール１０のブレード部１３の先端には、凹刃１６が形成されている。
【００３６】
こうした構成によれば、上記作用を奏することから、携帯性及び安全性に優れ、且つ繊維状の部材を容易に切断することができる。
（２）凹刃１６が両刃であるため、ブレード部１３の表側平面部１４及び裏側平面部１５の双方から刃縁１７までの距離を確保することができ、刃縁１７に手指が接触することを適切に抑制することができる。
【００３７】
（３）ブレード部１３の先端の第１端部２０が第２端部２２よりも先端側に向けて突出しており、第１端部２０の厚さが先端側ほど薄くされている。
こうした構成によれば、ブレード部１３を回転させることで鍵形ツール１０を操作性に優れたマイナスドライバーとして使用することができる。
【００３８】
＜変形例＞
なお、上記実施形態は、例えば以下のように変更することもできる。
・ステンレス鋼以外の他の鋼材やチタン合金などによって鍵形ツール１０を形成してもよい。
【００３９】
・凹刃１６の幅Ｗは４ｍｍに限定されるものではなく、発明の効果を奏する範囲内において適宜変更することができる。
・波刃２４、栓抜き部２５、及び六角ねじ回し孔２６の少なくとも１つを省略してもよい。例えば波刃２４を省略する場合、側部傾斜面２３を省略してもよい。この場合、第１端部２０の先端傾斜面２１と同様な傾斜面を第２端部２２に形成することもできる。
【００４０】
・第１端部２０が第２端部２２よりも先端側に突出していなくてもよい。例えば、第１端部２０の先端と第２端部２２の先端とがブレード部１３の長手方向において同一位置にあってもよい。
【００４１】
・凹刃を片刃にすることもできる。この場合、例えば裏側傾斜面１９を省略し、表側傾斜面１８と裏側平面部１５とによって凹刃の刃縁を形成するようにすればよい。
【符号の説明】
【００４２】
１０…鍵形ツール、１１…頭部、１２…貫通孔、１３…ブレード部、１４…表側平面部、１５…裏側平面部、１６…凹刃、１７…刃縁、１８…表側傾斜面、１９…裏側傾斜面、２０…第１端部、２１…先端傾斜面、２２…第２端部、２３…側部傾斜面、２４…波刃、２５…栓抜き部、２６…六角ねじ回し孔、３０…タグピン、３１…軸部、４０…糸、５０…タグ、５１…糸、６０…ねじ、６１…頭部、６２…溝、７０…缶、７１…頂面、７２…プルタブ、７３…突起部、７５…瓶、７６…王冠、８０…段ボール箱、８１…外フラップ、８２…内フラップ、８３…幅面、８４…テープ、９０…ボルト、９１…六角ナット。
【図１】
2018043329.tif 000003
【図２】
2018043329.tif 000004
【図３】
2018043329.tif 000005
【図４】
2018043329.tif 000006
【図５】
2018043329.tif 000007